(57)【要約】      （修正有）【課題】取付が容易で、構造も簡単な物品支持具を提供する。【解決手段】物品支持具１１は、下面１２Ａと、下面と交差する方向に延びた端面１２Ｂと、を有する装着対象１２に装着可能なベース部材１４であって、装着対象１２に装着された際に下面１２Ａに当接する本体部２１と、本体部２１と交差する方向に延びて装着対象１２に装着された際に端面１２Ｂに当接する位置決め部２２と、を有するベース部材１４と、装着対象１２の下側に位置した第１位置と、装着対象１２の下側から突出して物品を支持可能な第２位置Ｐ２と、の間で回転可能であるロッド状の支持部材１５と、支持部材１５を第１位置と第２位置Ｐ２との間で回転可能にベース部材１４に固定する固定部材１６と、を備える。【選択図】図１
0003234071.tif 000002
【実用新案登録請求の範囲】
【請求項１】
下面と前記下面と交差する方向に延びた端面とを有する装着対象に装着可能なベース部材であって、前記装着対象に装着された際に前記下面に当接可能な本体部と、前記本体部と交差する方向に延びて前記装着対象に装着された際に前記端面に当接可能な位置決め部と、を有するベース部材と、
前記装着対象の下側に位置した第１位置と、前記装着対象の下側から突出して物品を支持可能な第２位置と、の間で回転可能であるロッド状の支持部材と、
前記支持部材を前記第１位置と前記第２位置との間で回転可能に前記ベース部材に固定する固定部材と、
を備える物品支持具。
【請求項２】
前記ベース部材は、前記本体部に設けられた開口部と、前記本体部に設けられ前記開口部を規定する縁部と、前記本体部に設けられ前記開口部内で前記縁部との間に隙間を存してフローティング状態で保持され且つ可撓性を有する環状部と、前記環状部の外周面に設けられ前記環状部の可撓性によって前記環状部の内側に退避したり元の位置に復帰したり可能な第１係合部と、を有し、
前記支持部材は、前記環状部を受容可能な窪み部と、前記窪み部の内周面に設けられ前記第１係合部と係合したり前記第１係合部から分離したり可能な第２係合部と、を有する請求項１に記載の物品支持具。
【請求項３】
前記ベース部材は、前記第２位置から前記第１位置に向けて回転する前記支持部材を前記第１位置で停止させるように前記本体部から突出した第１ストッパ部と、前記第１位置から前記第２位置に向けて回転する前記支持部材を前記第２位置で停止させるように前記本体部から突出した第２ストッパ部と、を有する請求項２に記載の物品支持具。
【請求項４】
前記支持部材は、前記固定部材の周囲に位置した第１部分と、前記第１部分から突出するようにゴム状の弾性体で形成された第２部分と、を有する請求項１〜３のいずれか１項に記載の物品支持具。
【請求項５】
前記第２部分は、フック状をなしている請求項４に記載の物品支持具。
【請求項６】
前記支持部材は、前記固定部材で前記ベース部材に固定された第１使用態様において、前記ベース部材に対向する第１面と、前記第１面とは反対側の第２面と、を有するとともに、前記第２面を前記ベース部材に対向させるように前記固定部材で固定された第２使用態様においても前記第１位置と前記第２位置との間で回転可能である請求項５に記載の物品支持具。
【請求項７】
前記支持部材は、前記固定部材の周囲に位置した第１部分と、前記第１部分からロッド状に突出した第２部分と、前記第２部分の先端部から前記第２部分が延びている方向と交差する方向に突出し且つ前記第２部分よりも上方に位置した第３部分と、を有する請求項１〜３のいずれか１項に記載の物品支持具。
【考案の詳細な説明】
【技術分野】
【０００１】
本考案は、種々の物品を支持できる物品支持具に関する。
【背景技術】
【０００２】
杖や傘などを保持する物品保持具が開示されている（特許文献１参照）。この物品保持具は、ホルダー部を有し、ホルダー部は、テーブルの裏側に位置する格納状態と、テーブルの外側に突出する使用状態と、の間で回転するようになっている。
【先行技術文献】
【特許文献】
【０００３】
【特許文献１】実用新案登録第３２１３８５０号公報
【考案の概要】
【考案が解決しようとする課題】
【０００４】
上記従来の物品保持具では、テーブルの下面に装着する際に、取付位置の調整が難しい問題がある。すなわち、テーブルの端面から遠い位置に物品保持具を固定してしまうと、ホルダー部の突出量が十分でなくなる問題がある。或いは、テーブルの端面に近すぎる位置に物品保持具を固定してしまうと、ホルダー部の根本の部分や固定部が上方から視認可能となり、物品保持具の体裁が著しく悪化する問題がある。
本発明の目的は、取付が容易で、構造も簡単な物品支持具を提供することにある。
【課題を解決するための手段】
【０００５】
上記課題は、以下の本考案により解決される。すなわち、本考案（１）の物品支持具は、
下面と前記下面と交差する方向に延びた端面とを有する装着対象に装着可能なベース部材であって、前記装着対象に装着された際に前記下面に当接可能な本体部と、前記本体部と交差する方向に延びて前記装着対象に装着された際に前記端面に当接可能な位置決め部と、を有するベース部材と、
前記装着対象の下側に位置した第１位置と、前記装着対象の下側から突出して物品を支持可能な第２位置と、の間で回転可能であるロッド状の支持部材と、
前記支持部材を前記第１位置と前記第２位置との間で回転可能に前記ベース部材に固定する固定部材と、
を備える。
【０００６】
また、本考案（２）の物品支持具は、（１）記載の物品支持具であって、
前記ベース部材は、前記本体部に設けられた開口部と、前記本体部に設けられ前記開口部を規定する縁部と、前記本体部に設けられ前記開口部内で前記縁部との間に隙間を存してフローティング状態で保持され且つ可撓性を有する環状部と、前記環状部の外周面に設けられ前記環状部の可撓性によって前記環状部の内側に退避したり元の位置に復帰したり可能な第１係合部と、を有し、
前記支持部材は、前記環状部を受容可能な窪み部と、前記窪み部の内周面に設けられ前記第１係合部と係合したり前記第１係合部から分離したり可能な第２係合部と、を有する。
【０００７】
また、本考案（３）の物品支持具は、（２）に記載の物品支持具であって、
前記ベース部材は、前記第２位置から前記第１位置に向けて回転する前記支持部材を前記第１位置で停止させるように前記本体部から突出した第１ストッパ部と、前記第１位置から前記第２位置に向けて回転する前記支持部材を前記第２位置で停止させるように前記本体部から突出した第２ストッパ部と、を有する。
【０００８】
また、本考案（４）の物品支持具は、（１）〜（３）に記載の物品支持具であって、
前記支持部材は、前記固定部材の周囲に位置した第１部分と、前記第１部分から突出するようにゴム状の弾性体で形成された第２部分と、を有する。
【０００９】
また、本考案（５）の物品支持具は、（４）に記載の物品支持具であって、
前記第２部分は、フック状をなしている。
【００１０】
また、本考案（６）の物品支持具は、（５）に記載の物品支持具であって、
前記支持部材は、前記固定部材で前記ベース部材に固定された第１使用態様において、前記ベース部材に対向する第１面と、前記第１面とは反対側の第２面と、を有するとともに、前記第２面を前記ベース部材に対向させるように前記固定部材で固定された第２使用態様においても前記第１位置と前記第２位置との間で回転可能である。
【００１１】
また、本考案（７）の物品支持具は、（１）〜（３）に記載の物品支持具であって、
前記支持部材は、前記固定部材の周囲に位置した第１部分と、前記第１部分からロッド状に突出した第２部分と、前記第２部分の先端部から前記第２部分が延びている方向と交差する方向に突出し且つ前記第２部分よりも上方に位置した第３部分と、を有する。
【考案の効果】
【００１２】
本考案によれば、取付が容易で、構造も簡単な物品支持具を提供できる。
【図面の簡単な説明】
【００１３】
【図１】第１実施形態の物品支持具であって、第１使用態様の物品支持具を示す斜視図である。
【図２】図１に示す物品支持具のベース部材を示す斜視図である。
【図３】図２に示すベース部材の平面図である。
【図４】図３に示すベース部材のＦ４―Ｆ４線の位置に沿った断面図である。
【図５】図１に示す物品支持具を分解して示す斜視図である。
【図６】図１に示す物品支持具（第１使用態様）において、支持部材が第１位置にある状態を固定部材を省略して示す平面図である。
【図７】図１に示す物品支持具（第１使用態様）において、支持部材が第２位置にある状態を固定部材を省略して示す平面図である。
【図８】図７に示す物品支持具（第１使用態様）において、実際に杖を立て掛けた状態を示す斜視図である。
【図９】第１実施形態の物品支持具（第２使用態様）であって、支持部材が第１位置にある状態を固定部材を省略して示す平面図である。
【図１０】第１実施形態の物品支持具（第２使用態様）であって、支持部材が第２位置にある状態を固定部材を省略して示す平面図である。
【図１１】第２実施形態の物品支持具を示す斜視図である。
【図１２】図１１に示す物品支持具を分解して示す斜視図である。
【図１３】図１１に示す物品支持具において、支持部材が第１位置にある状態を固定部材を省略して示す平面図である。
【図１４】図１１に示す物品支持具において、支持部材が第２位置にある状態を固定部材を省略して示す平面図である。
【図１５】図１に示す物品支持具において、実際に物品を引っかけた状態を示す斜視図である。
【考案を実施するための形態】
【００１４】
以下図面を参照して、物品支持具の実施形態について説明する。本考案の物品支持具は、ショッピングモールのフードコートや介護施設、老人ホーム等に設置され、杖等の物品を立てかけたり、或いは、カバン等の物品を引っかけたりできるものである。
［第１実施形態］
【００１５】
以下図１〜図８を参照して、物品支持具１１の第１使用態様について説明する。図１に示すように、物品支持具１１は、装着対象１２に対してねじ等の固定具１３によって装着される。装着対象１２は、テーブルであってもよいし、椅子の肘掛けであってもよいし、それ以外の物品であってもよい。装着対象１２は、下面１２Ａと、下面１２Ａと交差する方向（直交する方向）に延びた端面１２Ｂと、を有する。端面１２Ｂは、平面であってよいし、湾曲した曲面であってもよい。
【００１６】
図１〜図６に示すように、物品支持具１１は、断面Ｌ字形をなし装着対象１２に装着可能なベース部材１４と、装着対象１２の下側に位置した第１位置Ｐ１と装着対象１２の下側から突出して物品を支持可能な第２位置Ｐ２との間で回転可能なロッド状の支持部材１５と、支持部材１５をベース部材１４に固定する固定部材１６と、を備える。
【００１７】
固定部材１６は、例えばねじで構成されているが、ピン等であってもよい。固定部材１６は、支持部材１５を第１位置Ｐ１と第２位置Ｐ２との間で回転可能にベース部材１４に固定できる。
【００１８】
図２〜図４に示すように、ベース部材１４は、例えば、合成樹脂材料によって一体的に成形されている。ベース部材１４は、例えば、ポリアセタール（ＰＯＭ）等によって形成されている。ベース部材１４は、平板状をなした本体部２１と、本体部２１から突出するとともに本体部２１と交差する方向（直交する方向）に延びた位置決め部２２と、本体部２１から下方に向けて突出する第１ストッパ部２３および第２ストッパ部２４と、を有する。本体部２１は、ベース部材１４が装着対象１２に装着された際に下面１２Ａに当接することができる。位置決め部２２は、ベース部材１４が装着対象１２に装着された際に端面１２Ｂに当接できる。
【００１９】
本体部２１は、固定部材１６が通される円筒形のボス部２５と、ボス部２５の周囲に設けられる１以上の開口部２６と、開口部２６の周囲を規定する１以上の縁部２９と、一部が開口部２６内に位置するように設けられた環状部２７と、環状部２７の外周面に設けられた１以上（例えば、２個）の第１係合部２８と、ボス部２５の近傍に設けられる１以上の爪部３１と、１以上の爪部３１で保持されるナット３２を有する。環状部２７は、１以上の連結部分を介して縁部２９と連結されており、当該連結部を介して開口部２６内で縁部２９との間に隙間を存してフローティング状態で保持されている。環状部２７は、その名の通りリング状に形成されている。環状部２７は、薄肉に形成されており、その半径方向に可撓性を有している。ナット３２に対して固定部材１６が締結される。
【００２０】
図２、図３に示すように、第１係合部２８のそれぞれは、凸部および凹部のいずれか一方で形成されている。本実施形態では、第１係合部２８は、例えば凸部で構成されている。第１係合部２８は、例えば、断面半円形の凸部で構成されていることが好ましい。第１係合部２８は、例えば、断面半円形の凹部で構成されていてもよい。１以上の第１係合部２８は、図３中において、環状部２７の左右方向の両端部に設けられている。第１係合部２８は、環状部３７の可撓性によって環状部２７の内側に退避したり元の位置に復帰したりできる。
【００２１】
第１ストッパ部２３は、図３に示す本体部２１の左部に設けられている。第１ストッパ部２３は、本体部２１から略卵型に隆起する形状に形成されている。第１ストッパ部２３は、ベース部材１４を装着対象１２に固定するためのねじ等の固定具１３を固定するためのボスを兼ねている。第１ストッパ部２３は、第２位置Ｐ２から第１位置Ｐ１に向けて回転する支持部材１５を第１位置Ｐ１で停止させるように支持部材１５に対して当接可能である。
【００２２】
第２ストッパ部２４は、図３に示す本体部２１の右部に設けられている。第２ストッパ部２４は、円錐台形状に形成されている。第２ストッパ部２４は、ベース部材１４を装着対象１２に固定するためのねじ等の固定具１３を固定するためのボスを兼ねている。第２ストッパ部２４は、第１位置Ｐ１から第２位置Ｐ２に向けて回転する支持部材１５を第２位置Ｐ２で停止させるように支持部材１５に対して当接可能である。
【００２３】
図１に示すように、支持部材１５は、固定部材１６でベース部材１４に固定された第１使用態様において、ベース部材１４に対向する第１面１５Ａと、第１面１５Ａとは反対側の第２面１５Ｂと、を有する。
【００２４】
図４〜図６に示すように、支持部材１５は、固定部材１５の周囲で中央部に位置する第１部分３３と、第１部分３３の外縁側に設けられ第１部分３３から外側に向けてロッド状に突出する第２部分３４と、第１部分３３のベース部材１４に対向する面から窪むように設けられた窪み部３５と、窪み部３５の内周面に設けられた１以上の第２係合部３６と、第１部分３３と第２部分３４との間の境界３７と、を有する。
【００２５】
第１部分３３は、硬質の樹脂によって略円盤状に構成されている。第１部分３３は、真円形の円盤状であってもよいし、円形の一部が外側に突出した変形円盤形状であってもよい。第１部分３３は、例えば、ポリアセタール（ＰＯＭ）等によって一体に成形されている。
【００２６】
第２部分３４は、軟質の樹脂であって、ゴム状の弾性を有する弾性体（エラストマー）によって一体に成形されている。図５に示すように、第２部分３４は、第１部分３３を環状に取り囲むリング部４１と、リング部４１から外側に向けて一体的に突出した腕部４２と、を有する。第２部分３４の腕部４２は、杖４３の軸の外周面に沿うようにフック状ないし円弧状に湾曲している。リング部４１は、腕部４２と一体的に成形されている。
第１部分３３および第２部分３４は、例えば、射出成形によって一体に成形され、より具体的には、２色成形によって一体に成形される。
【００２７】
窪み部３５は、ベース部材１４の環状部２７を内側に収納可能に円形又は円形の一部が変形した略円形に形成されている。したがって、窪み部３５の内径（直径）は、環状部２７の外形（直径）と同等の寸法か、環状部２７の外形（直径）よりも若干大きい寸法で形成されている。
【００２８】
１以上の第２係合部３６のそれぞれは、第１係合部２８と相補的な形状に形成されている。したがって、第１係合部２８が凸部および凹部のいずれか一方で形成されている場合には、第２係合部３６は、凸部および凹部のいずれか他方で形成されている。すなわち、第１係合部２８が例えば断面半円形の凸部で構成されている場合には、第２係合部３６は、これと相補的な断面半円形の凹部で構成されている。或いは、第１係合部２８が例えば断面半円形の凹部で構成されている場合には、第２係合部３６はこれと相補的な断面半円形の凸部で構成されている。このため、第２係合部３６は、第１係合部２８に対してきっちりと嵌ってこれと係合したり、第１係合部２８から分離したりすることができる。本実施形態において、第２係合部３６は、支持部材１５の厚み方向の全幅に亘って形成されている。このため、第２係合部３６は、第１部分３３を間に挟んだ両側、すなわち、支持部材１５の第１面１５Ａ側と、支持部材１５の第２面１５Ｂ側と、の両方に形成されている。
【００２９】
第１係合部２８および第２係合部３６は、支持部材１５が第１位置Ｐ１および第２位置Ｐ２にあるときに互いに係合し、それ以外の位置では互いに係合しないような位置関係で配置されている。
【００３０】
続いて、図１から図８を参照して、本実施形態の物品支持具１１の作用について説明する。
【００３１】
利用者が物品支持具１１を使用したい場合には、手指によって支持部材１５を図６に示す第１位置Ｐ１から第２位置Ｐ２に引き出すように回動させる。その際、利用者は、手指を支持部材１５の第２部分３４（腕部４２）に引っかけて、支持部材１５を回動させる。そして、支持部材１５が図７に示す第２位置Ｐ２に移動したときに、支持部材１５の一部が第２ストッパ部２４に当接するとともに第１係合部２８に対して第２係合部３６が嵌る。これによって、利用者は、クリック感を得ることができ、適切な使用位置に支持部材１５が回動完了したことを把握することができる。この状態で、図８に示すように、利用者は、杖４３等を物品支持具１１の第２部分３４（腕部４２）に立てかけたり引っかけたりすることができる。
【００３２】
なお、支持部材１５が第２位置Ｐ２にあるときに、利用者が誤って支持部材１５の第２部分３４にぶつかってしまった場合でも、第２部分３４がゴム状の弾性体で構成されるために、利用者がけがをしたり第２部分３４が折れてしまったりすることがない。
【００３３】
また、物品支持具１１の使用完了後、利用者は、支持部材１５から杖４３等を除去して、手指によって支持部材１５を第２位置Ｐ２から第１位置Ｐ１に向けて移動させることができる。そして、支持部材１５が第１位置Ｐ１に移動したときに、図６に示すように、支持部材１５の一部が第１ストッパ部２３に当接するとともに第１係合部２８に対して第２係合部３６が嵌る。これによって、利用者は、クリック感を得ることができ、適切な収納位置に支持部材１５が回動完了したことを把握することができる。
【００３４】
続いて、図９、図１０を参照して、物品支持具１１の第２使用態様について説明する。第２使用態様では、支持部材１５は、第１使用態様における第２面１５Ｂをベース部材１４に対向させるように、第１使用態様とは逆向きに固定部材１６でベース部材１４に固定される。このとき、第１面１５Ａは、第２面１５Ｂとは反対側に位置している。
【００３５】
利用者が物品支持具１１を使用したい場合には、手指によって支持部材１５を図９に示す第１位置Ｐ１から第２位置Ｐ２に引き出すように回動させる。その際、利用者は、手指を支持部材１５の第２部分３４（腕部４２）に引っかけて、支持部材１５を回動させる。そして、支持部材１５が図１０に示す第２位置Ｐ２に移動したときに、支持部材１５の一部が第１ストッパ部２３（本考案にいう第２ストッパ部に相当する）に当接するとともに第１係合部２８に対して第２係合部３６が嵌る。これによって、利用者は、クリック感を得ることができ、適切な使用位置に支持部材１５が回動完了したことを把握することができる。この状態で、利用者は、杖４３等を物品支持具１１の第２部分３４（腕部４２）に立てかけたり引っかけたりすることができる。
【００３６】
また、物品支持具１１の使用完了後、利用者は、支持部材１５から杖等を除去して、手指によって支持部材１５を第２位置Ｐ２から第１位置Ｐ１に向けて移動させることができる。そして、支持部材１５が第１位置Ｐ１に移動したときに、図９に示すように、支持部材１５の一部が第２ストッパ部２４（本考案にいう第１ストッパ部に相当する）に当接するとともに第１係合部２８に対して第２係合部３６が嵌る。これによって、利用者は、クリック感を得ることができ、適切な収納位置に支持部材１５が回動完了したことを把握することができる。したがって、第２使用態様においても、第１使用態様と同様の作用効果を奏する。このため、ショッピングモールや介護施設の施設管理者は、第１使用態様および第２使用態様のいずれかを選択して物品支持具１１を利用することができる。
【００３７】
本実施形態によれば、以下のことがいえる。物品支持具１１は、下面１２Ａと下面１２Ａと交差する方向に延びた端面１２Ｂとを有する装着対象１２に装着可能なベース部材１４であって、装着対象１２に装着された際に下面１２Ａに当接可能な本体部２１と、本体部２１と交差する方向に延びて装着対象１２に装着された際に端面１２Ｂに当接可能な位置決め部２２と、を有するベース部材１４と、装着対象１２の下側に位置した第１位置Ｐ１と、装着対象１２の下側から突出して物品を支持可能な第２位置Ｐ２と、の間で回転可能であるロッド状の支持部材１５と、支持部材１５を第１位置Ｐ１と第２位置Ｐ２との間で回転可能にベース部材１４に固定する固定部材１６と、を備える。
【００３８】
この構成によれば、極めて簡単な構造で物品支持具１１を構成することができる。また、上記構成によれば、位置決め部２２によって装着対象１２に対して物品支持具１１を簡単に位置決めすることができる。これによって、装着対象に対して物品支持具１１を装着する際に、作業者の作業性を著しく向上できる。また、装着対象１２に対して適切な位置に物品支持具１１を装着できるため、上方から見たときにベース部材１４が必要以上にはみ出して見えたり、或いは、第２位置Ｐ２にある支持部材１５の突出量が不十分であったり、等の不具合を生じることを防止できる。
【００３９】
ベース部材１４は、本体部２１に設けられた開口部２６と、本体部２１に設けられ開口部２６を規定する縁部２９と、本体部２１に設けられ開口部２６内で縁部２９との間に隙間を存してフローティング状態で保持され且つ可撓性を有する環状部２７と、環状部２７の外周面に設けられ環状部２７の可撓性によって環状部２７の内側に退避したり元の位置に復帰したり可能な第１係合部２８と、を有し、支持部材１５は、環状部２７を受容可能な窪み部３５と、窪み部３５の内周面に設けられ第１係合部２８と係合したり第１係合部２８から分離したり可能な第２係合部３６と、を有する。
【００４０】
この構成によれば、環状部２７に可撓性を持たせることによって、第１係合部２８に対して第２係合部３６をスムーズに係合させたり、第１係合部２８から第２係合部３６をスムーズに分離させたりすることができる。また、環状部２７の可撓性を利用することによって、支持部材１５が第１位置Ｐ１および第２位置Ｐ２に移動した際に、自然なクリック感を得ることができる。また、第１係合部２８と第２係合部３６との係合によって、第１位置Ｐ１および第２位置Ｐ２にある支持部材１５をその位置である程度保持することができる。これによって、第１位置Ｐ１および第２位置Ｐ２にある支持部材１５が、ユーザの意図しないタイミングでそれら以外の位置に移動してしまうことを防止できる。
【００４１】
ベース部材１４は、第２位置Ｐ２から第１位置Ｐ１に向けて回転する支持部材１５を第１位置Ｐ１で停止させるように本体部２１から突出した第１ストッパ部２３と、第１位置Ｐ１から第２位置Ｐ２に向けて回転する支持部材１５を第２位置Ｐ２で停止させるように本体部２１から突出した第２ストッパ部２４と、を有する。
【００４２】
この構成によれば、第１位置Ｐ１と第２位置Ｐ２とで規定される回転角度内に支持部材１５を保持することができる。これによって、当該回転角度内から外れた位置に支持部材１５が移動してしまうような不具合を防止することができる。
【００４３】
支持部材１５は、固定部材１６の周囲に位置した第１部分３３と、第１部分３３から突出するようにゴム状の弾性体で形成された第２部分３４と、を有する。
【００４４】
この構成によれば、第２位置Ｐ２に支持部材１５を配置した際に、外側に突出している支持部材１５の第２部分３４を弾性体によって形成することができる。これによって、外側に突出している第２部分３４に対して誤って人や物をぶつけてしまった場合でも、支持部材１５を破損してしまうことを有効に防止することができる。
【００４５】
第２部分３４は、フック状をなしている。この構成によれば、杖４３等の棒状の物品を第２部分３４に対して立てかけることができる。
【００４６】
支持部材１５は、固定部材１６でベース部材１４に固定された第１使用態様において、ベース部材１４に対向する第１面１５Ａと、第１面１５Ａとは反対側の第２面１５Ｂと、を有するとともに、第２面１５Ｂをベース部材１４に対向させるように固定部材１６で固定された第２使用態様においても第１位置Ｐ１と第２位置Ｐ２との間で回転可能である。
【００４７】
この構成によれば、フック状をなしている第２部分３４のカーブを逆向きにして配置することができる。これによって、施設管理者が第２部分３４のカーブの向きを適切に選択して物品支持具１１を利用することができる。これによって、杖４３等を取りやすい向きに支持部材１５を設置することができ、さらにユーザフレンドリーな物品支持具１１を実現できる。
【００４８】
以下の実施形態では、主として第１実施形態と異なる部分について説明し、第１実施形態と共通する部分については、図示又は説明を省略する。
［第２実施形態］
【００４９】
図１１〜図１５を参照して、第２実施形態の物品支持具１１について説明する。本実施形態の物品支持具１１は、支持部材１５の形状が異なり、且つ、第１ストッパ部２３と第２ストッパ部２４との間で互いの名称が入れ替わっているが、他の部分は第１実施形態と共通している。なお、ベース部材１４は、第１実施形態と同一形態のものを使用できる。
【００５０】
図１１に示すように、本実施形態において、第１ストッパ部２３は、本体部２１の右部に設けられている。第１ストッパ部２３は、円錐台形状に形成されている。第１ストッパ部２３は、ベース部材１４を装着対象１２に固定するためのねじ等の固定具１３を固定するためのボスを兼ねている。図１３に示すように、第１ストッパ部２３は、第２位置Ｐ２から第１位置Ｐ１に向けて回転する支持部材１５を第１位置Ｐ１で停止させるように支持部材１５に対して当接可能である。
【００５１】
第２ストッパ部２４は、本体部２１の左部に設けられている。第２ストッパ部２４は、本体部２１から略卵型に隆起する形状に形成されている。第２ストッパ部２４は、ベース部材１４を装着対象１２に固定するためのねじ等の固定具１３を固定するためのボスを兼ねている。図１４に示すように、第２ストッパ部２４は、第１位置Ｐ１から第２位置Ｐ２に向けて回転する支持部材１５を第２位置Ｐ２で停止させるように支持部材１５に対して当接可能である。
【００５２】
図１２に示すように、支持部材１５は、中央部に位置する第１部分３３と、第１部分３３の外縁側に設けられ第１部分３３から外側に向けてロッド状に突出する第２部分３４と、第２部分３４の先端部に設けられる第３部分５１と、第１部分３３のベース部材１４に対向する面から窪むように設けられた窪み部３５と、窪み部３５の内周面に設けられた１以上の第２係合部３６と、を有する。支持部材１５は、硬質の樹脂、例えば、ポリアセタール（ＰＯＭ）等によって一体に成形されている。
【００５３】
第１部分３３は、略円盤状に構成されている。第１部分３３は、円形の一部が外側に突出した変形円盤形状であってよい。第２部分３４は、第１部分３３を環状に取り囲むリング部４１と、リング部４１から外側に向けて一体的に突出した腕部４２と、を有する。腕部４２は、細長い平板状に突出している。図１１に示すように、腕部４２は、肉抜き用の凹部５２を１以上有していてもよい。腕部４２の先端部で、第３部分５１が設けられる側とは反対側（下面側）に、利用者が支持部材１５を回転させる際に指を掛けることが可能な指掛け部５３を有する。指掛け部５３は、半円形に窪んでいる。
【００５４】
図１２に示すように、第３部分５１は、第２部分３４の腕部４２の先端部から、第２部分３４（腕部４２）が延びている方向と交差する方向で両側に向けて突出している。第３部分５１は、第２部分３４（腕部４２）が設置される位置よりも上方に位置している。第１部分３３から第３部分５１は、例えば、射出成形によって一体に成形される。
【００５５】
窪み部３５は、ベース部材１４の環状部２７を内側に収納可能に円形又は円形の一部が変形した略円形に形成されている。したがって、窪み部３５の内径（直径）は、環状部２７の外形（直径）と同等の寸法か、環状部２７の外形（直径）よりも若干大きい寸法で形成されている。
【００５６】
１以上の第２係合部３６のそれぞれは、第１係合部２８と相補的な形状に形成されている。したがって、第１係合部２８が凸部および凹部のいずれか一方で形成されている場合には、第２係合部３６は、凸部および凹部のいずれか他方で形成されている。すなわち、第１係合部２８が例えば断面半円形の凸部で構成されている場合には、第２係合部３６は、これと相補的な断面半円形の凹部で構成されている。或いは、第１係合部２８が例えば断面半円形の凹部で構成されている場合には、第２係合部３６はこれと相補的な断面半円形の凸部で構成されている。このため、第２係合部３６は、第１係合部２８に対してきっちりと嵌ってこれと係合することができる。
【００５７】
第１係合部２８および第２係合部３６は、支持部材１５が第１位置Ｐ１および第２位置Ｐ２にあるときに互いに係合するような位置関係で配置されている。
【００５８】
続いて、図１３から図１５を参照して、本実施形態の物品支持具１１の作用について説明する。
【００５９】
利用者が物品支持具１１を使用したい場合には、手指によって支持部材１５を第１位置Ｐ１から第２位置Ｐ２に引き出すように回動させる。その際、利用者は、支持部材１５の第２部分３４の腕部４２に手指を引っかけたり、或いは、第２部分３４の指掛け部５３に手指を掛けたりして、第２部分３４の支持部材１５を回動させる。そして、支持部材１５が第２位置Ｐ２に移動したときに、図１４に示すように、支持部材１５の第２部分３４のリング部４１が第２ストッパ部２４に当接するとともに第１係合部２８に対して第２係合部３６が嵌る。これによって、利用者は、クリック感を得ることができ、適切な使用位置に支持部材１５が回動完了したことを把握することができる。この状態で、図１５に示すように、利用者は、カバン５４等の物品を物品支持具１１の第２部分３４（腕部４２）に引っかけたりすることができる。その際、第３部分５１が返しとなり、第２部分３４からカバン５４等の物品が脱落することが極力防止される。
【００６０】
また、物品支持具１１の使用完了後、利用者は、支持部材１５からカバン５４等の物品を除去して、支持部材１５の第２部分３４の腕部４２に手指を引っかけたり、或いは、第２部分３４の指掛け部５３に手指を掛けたりして、支持部材１５を第２位置Ｐ２から第１位置Ｐ１に向けて移動させることができる。そして、支持部材１５が第１位置Ｐ１に移動したときに、図１３に示すように、支持部材１５のリング部４１が第１ストッパ部２３に当接するとともに第１係合部２８に対して第２係合部３６が嵌る。これによって、利用者は、クリック感を得ることができ、適切な収納位置に支持部材１５が回動完了したことを把握することができる。
【００６１】
本実施形態によれば、以下のことがいえる。支持部材１５は、固定部材１６の周囲に位置した第１部分３３と、第１部分３３からロッド状に突出した第２部分３４と、第２部分３４の先端部から第２部分３４が延びている方向と交差する方向に突出し且つ第２部分３４よりも上方に位置した第３部分５１と、を有する。
【００６２】
この構成によれば、支持部材１５に対してカバン５４等の物品を引っ掛けた際に、第３部分５１が抜け止めとなり、利用者が意図しないときに支持部材１５から物品が脱落してことを有効に防止できる。
【００６３】
上記した実施形態は、種々の置き換えや変形を加えて実施できる。また、上記実施形態同士を適宜に組み合わせて発明を実現することも当然にできる。
【符号の説明】
【００６４】
１１                物品支持具
１２                装着対象
１２Ａ                下面
１２Ｂ                端面
１４                ベース部材
Ｐ１                第１位置
Ｐ２                第２位置
１５                支持部材
１５Ａ                第１面
１５Ｂ                第２面
１６                固定部材
２１                本体部
２２                位置決め部
２３                第１ストッパ部
２４                第２ストッパ部
２６                開口部
２７                環状部
２８                第１係合部
２９                縁部
３３                第１部分
３４                第２部分
３６                第２係合部
４３                杖
５１                第３部分
５４                カバン
【図１】
0003234071.tif 000003
【図２】
0003234071.tif 000004
【図３】
0003234071.tif 000005
【図４】
0003234071.tif 000006
【図５】
0003234071.tif 000007
【図６】
0003234071.tif 000008
【図７】
0003234071.tif 000009
【図８】
0003234071.tif 000010
【図９】
0003234071.tif 000011
【図１０】
0003234071.tif 000012
【図１１】
0003234071.tif 000013
【図１２】
0003234071.tif 000014
【図１３】
0003234071.tif 000015
【図１４】
0003234071.tif 000016
【図１５】
0003234071.tif 000017